(57)【要約】【課題】  アンテナ端子間で受信障害を起こすような場合に高価なＲＦスイッチを使用する必要をなくす。【解決手段】  アンテナ端子１１ａ，１１ｂはそれぞれ別個独立したチューナ１２ａ，１２ｂに接続され、各チューナ１２ａ，１２ｂは信号処理部１３からの制御に基づいて地上波テレビ放送やケーブル放送を選局して受信可能である。選局した放送内容はＩＦ信号の状態として出力され、ＩＦスイッチ１２ｃの独立した二つの入力端子に入力されている。ＩＦスイッチ１２ｃは、中間周波数の周波数帯域に対応しており、帯域幅も狭いので、ＩＦスイッチ１２ｃは高価なＲＦスイッチまでは必要としない。ＩＦスイッチ１２ｃでの切換は、信号処理部１３からのチューナ１２ａ，１２ｂの選択の制御と同期して行われる。【選択図】  図２
2015149655.tif 000002
【特許請求の範囲】
【請求項１】
地上波テレビ放送のアンテナ端子と、ケーブル放送のアンテナ端子とを備えたテレビ放送受信機であって、
前記地上波テレビ放送のアンテナ端子に接続され、所定のチャンネルを受信してＩＦ出力する第一のチューナと、
前記ケーブル放送のアンテナ端子に接続され、前記第一のチューナとは独立した選局動作をし、所定のチャンネルを受信してＩＦ出力する第二のチューナと、
前記第一のチューナと前記第二のチューナのいずれか一方を選択し、かつ、他方の出力の影響を受けない状態で、選択した前記一方のＩＦ出力を出力する選択回路を備えることを特徴とするテレビ放送受信機。
【請求項２】
前記選択回路は、前記第一のチューナと前記第二のチューナの出力端子に接続されて一方の出力だけを選択的に出力するＩＦスイッチを備えることを特徴とする請求項１に記載のテレビ放送受信機。
【請求項３】
前記第一のチューナと前記第二のチューナとが動作停止時に出力端子がハイインピーダンスに保持されるものであり、
前記選択回路は、前記第一のチューナと前記第二のチューナのいずれかを動作させまたは停止させることを特徴とする請求項１または請求項２に記載のテレビ放送受信機。
【請求項４】
前記第二のチューナが動作停止時に出力端子がハイインピーダンスに保持されるものであり、
前記選択回路は、前記第一のチューナの出力端子に接続されて同出力を出力するか否かを選択可能なＩＦスイッチを備えることを特徴とする請求項１に記載のテレビ放送受信機。
【請求項５】
前記第一のチューナと前記第二のチューナが複数の種類のＩＦ出力を有し、前記ＩＦスイッチはそれぞれの種類のＩＦ出力ごとに前記第一のチューナと前記第二のチューナのいずれかを選択して切り替えることを特徴とする請求項２または請求項４に記載のテレビ放送受信機。
【請求項６】
前記第一のチューナと前記第二のチューナは、シリコンチューナであることを特徴とする請求項１〜請求項５のいずれかに記載のテレビ放送受信機。
【請求項７】
前記第一のチューナと前記第二のチューナは、ＩＦ出力に代えてＩ／Ｑ出力し、
前記選択回路は、前記第一のチューナと前記第二のチューナのいずれか一方を選択し、かつ、他方の出力の影響を受けない状態で、選択した前記一方のＩ／Ｑ出力を出力することを特徴とする請求項１〜請求項６のいずれかに記載のテレビ放送受信機。
【請求項８】
複数のアンテナ端子を備えたテレビ放送受信機であって、
同一周波数帯域のテレビ放送を受信可能で、前記複数のアンテナ端子にそれぞれ個別に接続されて独立して選局動作し、選局出力としてＩＦ出力またはＩ／Ｑ出力する個別のチューナと、
前記個別のチューナの出力について他の前記個別のチューナの出力から必要なアイソレーションを確保するアイソレーション手段と、
所定の操作に基づいて前記個別のチューナの独立選局を指示していずれかのチューナの出力だけを出力させる選局制御回路とを備えることを特徴とするテレビ放送受信機。
【発明の詳細な説明】
【技術分野】
【０００１】
本発明は、地上波テレビ放送のアンテナ端子と、ケーブル放送のアンテナ端子とを備えたテレビ放送受信機に関する。
【背景技術】
【０００２】
複数のアンテナ端子を備えたテレビ放送受信機では、一方のアンテナ端子に地上波テレビ放送のアンテナを接続し、他方のアンテナ端子にケーブル放送のケーブルを接続し、両方のテレビ放送を受信することがある。
この場合、選択された側のアンテナ端子からの受信信号に対して、非選択の側のアンテナ端子からの信号の漏れが加わると、受信障害が起こる。これため、アンテナ端子間で十分なアイソレーションを確保する必要がある。
【０００３】
図１０は、従来のテレビ放送受信機の要部の概略ブロック図である。
同図に示すテレビ放送受信機は、二つのアンテナ端子１ａ，１ｂを備え、いずれか一方を選択する切替器２を介してチューナ３が接続されている。一方のアンテナ端子１ａに地上波テレビ放送のアンテナを接続し、他方のアンテナ端子１ｂにケーブル放送のケーブルを接続できる仕様であるとする。
【０００４】
日本の地上波であれば、地上波テレビ放送とケーブル放送とでは９０〜７７０ＭＨｚという高周波かつ広帯域にわたり６０ｄＢ以上のアイソレーションを満足させることを要求される。このような要求を満足するため、二つのアンテナ端子１ａ，１ｂ間の切替器２として、高性能なRF（Radio Frequency）用スイッチ素子が使用されている。
【０００５】
特許文献１は、受信用チューナおよび受信装置に関し、受信する放送波が多くなった場合でも、出力信号線を受信チャンネル数よりも少なくすることができるように改良された受信用チューナを提供する技術を開示している。
複数の中間周波数変換器を備え、それらが互いに重ならない中間周波数信号に変換して出力し、これらを合成している。
【０００６】
特許文献２は、多方式対応受信装置に関し、アナログ放送番組からデジタル放送番組に切換える際に、画面チェンジがスムーズに出来る受信装置を開示している。
特許文献３は、デジタル放送用ダイバーシティ受信装置に関し、受信信号の電界強度とＤＵ比に応じて帯域通過フィルタの特性を適切に選択できるデジタル放送用ダイバーシティ受信装置を開示している。
【０００７】
ダイバーシティ受信装置なので、複数のチューナは同時に同じ放送を受信する。
特許文献４は、高価な切換用スイッチングＩＣを使用しない衛星放送用の受信装置に関する。複数の各チューナに対応して増幅回路を設け、制御回路は、選択されたチューナから信号入出力端子を介して与えられる選択信号に従って、複数の増幅回路のうちのいずれか１つの対応する増幅回路を活性化させている。
【先行技術文献】
【特許文献】
【０００８】
【特許文献１】特開2007-081878号公報
【特許文献２】特開2001-285752号公報
【特許文献３】特開2011-120006号公報
【特許文献４】特開2005-303962号公報
【発明の概要】
【発明が解決しようとする課題】
【０００９】
上述した二つのアンテナ端子間に高性能なRF（Radio Frequency）用スイッチ素子を備える場合、高性能であるので高コストの要因となっていた。
特許文献１に示すものでは、互いに重ならない中間周波数信号に変換して出力して合成しているが、その後の処理に専用の処理回路が必要になる。
特許文献２に示すものでは、デジタル放送とアナログ放送を受信可能なチューナを搭載しているが、複数のアンテナ端子を備えて放送波を切り替えて受信するものではない。
特許文献３に示すものでは、ダイバーシティ受信装置なので、複数のチューナは同時に同じ放送を受信し、アイソレーションの問題は生じない。
特許文献４に示すものでは、元々混在可能な放送波のいずれかを選択的に受信するものであり、アイソレーションの問題は生じない。
【００１０】
本発明は、地上波テレビ放送とケーブル放送のようにアンテナ端子間で受信障害を起こすような場合に、高価なＲＦスイッチを使用する必要のないテレビ放送受信機を提供する。
【課題を解決するための手段】
【００１１】
本発明は、地上波テレビ放送のアンテナ端子と、ケーブル放送のアンテナ端子とを備えたテレビ放送受信機であって、前記地上波テレビ放送のアンテナ端子に接続され、所定のチャンネルを受信してＩＦ出力する第一のチューナと、前記ケーブル放送のアンテナ端子に接続され、第一のチューナとは独立した選局動作をし、所定のチャンネルを受信してＩＦ出力する第二のチューナと、前記第一のチューナと前記第二のチューナのいずれか一方を選択し、かつ、他方の出力の影響を受けない状態で、選択した前記一方のＩＦ出力を出力する選択回路を備える構成としてある。
【００１２】
前記構成において、テレビ放送受信機は、地上波テレビ放送のアンテナ端子と、ケーブル放送のアンテナ端子とを備えている。第一のチューナは、地上波テレビ放送のアンテナ端子に接続され、所定のチャンネルを受信してＩＦ出力し、第二のチューナは、ケーブル放送のアンテナ端子に接続され、第一のチューナとは独立した選局動作をし、所定のチャンネルを受信してＩＦ出力する。選択回路は、第一のチューナと第二のチューナのいずれか一方を選択し、かつ、他方の出力の影響を受けない状態で、選択した前記一方のＩＦ出力を出力する。
【発明の効果】
【００１３】
本発明のテレビ放送受信機では、第一のチューナと第二のチューナの一方を選択する際に、他方の出力の影響を受けない状態とするが、選択するのがＩＦ出力であるため、狭帯域であり、高性能なＲＦスイッチは必要としない。
【図面の簡単な説明】
【００１４】
【図１】本発明のテレビ放送受信機の概略のブロック図である。
【図２】第一実施例のチューナ部の概略ブロック図である。
【図３】第二実施例のチューナ部の概略ブロック図である。
【図４】第三実施例のチューナ部の概略ブロック図である。
【図５】第四実施例のチューナ部の概略ブロック図である。
【図６】第五実施例のチューナ部の概略ブロック図である。
【図７】第六実施例のチューナ部の概略ブロック図である。
【図８】ダイバーシティ受信装置の概略ブロック図である。
【図９】衛星放送受信装置の概略ブロック図である。
【図１０】従来のテレビ放送受信機の要部の概略ブロック図である。
【発明を実施するための形態】
【００１５】
（第一実施例）
以下、図面にもとづいて本発明の実施形態を説明する。
図１は、本発明の一実施形態にかかるテレビ放送受信機をブロック図により示している。
同図において、独立したアンテナ端子１１ａ，１１ｂが二つ備えられ、それぞれ別個の受信ケーブルに接続可能である。この場合、一方のアンテナ端子１１ａを図示しない地上波テレビ放送のアンテナに接続し、他方のアンテナ端子１１ｂを図示しないケーブル放送のケーブルに接続するということも可能である。
【００１６】
これらのアンテナ端子１１ａ，１１ｂはチューナ部１２に備えられている。チューナ部１２の構成は後述するが、いずれかのアンテナ端子１１ａ，１１ｂから入力されるテレビ放送波から所定のチャンネルの放送を受信し、中間周波数変換したＩＦ信号を出力する。なお、図ではＩＦ信号は差動信号として出力しているが、不平衡信号でもよい。
チューナ部１２のＩＦ信号は信号処理部１３に入力されている。信号処理部１３は、アナログ放送信号及び／または、デジタル放送信号の処理回路なども備えている。リモコン入力部１４と操作部１５に接続され、図示しないリモコンの操作による操作入力をリモコン入力部１４を介して入力したり、操作部１５での操作入力を得て、チューナ部１２での選局や映像や音声の出力に関する全ての制御を実行する。
【００１７】
信号処理部１３からは音声信号が出力され、アンプ１６を介してスピーカ１７より音声が出力される。また、信号処理部１３から出力される映像信号は、ドライバー回路１８で所定の信号処理を施され、ディスプレイパネル１９を駆動制御して所定の映像を表示する。
この他、信号処理部１３には図示しない入力端子から映像音声信号が入力され、また、前記チューナ部１２以外の他のチューナ部から衛星放送などのテレビ放送を受信した放送信号が入力され、所定の操作に対応してスピーカ１７やディスプレイパネル１９から音声や映像が出力されるようになっている。
【００１８】
図２は、第一実施例のチューナ部の概略構成をブロック図により示している。
同図において、アンテナ端子１１ａ，１１ｂはそれぞれ別個独立したチューナ１２ａ，１２ｂに接続されている。これらのチューナ１２ａ，１２ｂはいわゆるシリコンチューナで形成されている。シリコンチューナは、半導体プロセスを用いてアナログＲＦ回路を集積することで、テレビ放送を受信するチューナ機能を実現している。むろん、本発明はシリコンチューナに限定されるものではなく、ＣＡＮチューナを採用することも可能である。
【００１９】
各チューナ１２ａ，１２ｂは、信号処理部１３からの制御に基づいて地上波テレビ放送やケーブル放送を選局して受信可能である。選局した放送内容はＩＦ信号の状態として出力され、ＩＦスイッチ１２ｃの独立した二つの入力端子に入力されている。ＩＦスイッチ１２ｃは、テレビ放送における中間周波数の周波数帯域に対応しており、地上波テレビ放送やケーブル放送における９０〜７７０ＭＨｚという高周波かつ広帯域にわたるものではない。中間周波数は、数十ＭＨｚまたは数ＭＨｚの比較的低い周波数であり、周波数帯域幅も狭いので、ＩＦスイッチ１２ｃは高価なＲＦスイッチまでは必要としない。またチューナが独立していることにより、高いアイソレーション特性が要求されないため、６０ｄＢ以上のアイソレーションを確保する必要があっても、比較的安価なもので満足させることができる。チューナ１２ａ，１２ｂのＩＦ出力が差動出力であるため、ＩＦスイッチ１２ｃもこれに対応して＋−両信号を個別に切り替えるようにしている。
【００２０】
なお、ＩＦスイッチ１２ｃでのアイソレーションとは、選択されたチューナの出力と、非選択のチューナの出力との間でのアイソレーションを指す。
ＩＦスイッチ１２ｃでの切換は、信号処理部１３からのチューナ１２ａ，１２ｂの選択の制御と同期して行われる。すなわち、チューナ１２ａを選択すれば、ＩＦスイッチ１２ｃは同チューナ１２ａの出力を選択して出力するとともに、チューナ１２ｂの出力は必要とされるアイソレーションを確保して出力させない。また、同様のことがチューナ１２ｂを選択した場合にも言える。そして、選択された側の出力のＩＦ信号は信号処理部１３に入力され、テレビ放送の内容である映像や音声が出力されることになる。
【００２１】
ここで、アンテナ端子１１ａに接続されるチューナ１２ａは第一のチューナに相当し、アンテナ端子１１ｂに接続されるチューナ１２ｂは第二のチューナに相当し、ＩＦスイッチ１２ｃおよびこれを制御する信号処理部１３とで選択回路に相当することになる。
すなわち、選択回路は、第一のチューナと第二のチューナの出力端子に接続されて一方の出力だけを選択的に出力するＩＦスイッチを備えている。
【００２２】
本実施例の構成では、アンテナ入力毎に別々のチューナ回路を使用する為、アンテナ入力間のアイソレーションを確保するのは容易である。また、スイッチはチューナ回路の出力であるＩＦ（Ｉｎｔｅｒｍｅｄｉａｔｅ  Ｆｒｅｑｕｅｎｃｙ中間周波数）ラインに設けられるため、高コストなＲＦ用スイッチ素子の代わりに、低コストかつ汎用的なスイッチ素子を使用することができる。近年、Ｓｉ−チューナＩＣへの移行により、チューナ回路の低価格化が進み、チューナ回路を複数とＩＦ用スイッチを用意する方が低コストとできるようになった。
【００２３】
本構成では、ＩＦラインを共用する複数のチューナ回路は、選択動作により一つのチューナ回路からのＩＦ信号を後段の信号処理回路へ出力することになる。ＩＦスイッチ素子の役割として、選択したチューナ回路の信号のみを通す他に、非選択のチューナ回路が接続されていることによりＩＦ信号ラインのインピーダンスがずれてしまうことを防止する役割もある。
【００２４】
（第二実施例）
非選択側のチューナ回路から信号出力がなく、かつＩＦラインのインピーダンスに影響を及ぼさない場合は、直接、ＩＦラインを接続した構成も可能となる。
図３は、第二実施例のチューナ部の概略構成をブロック図により示している。
第一実施例との相違は、二つのチューナ１２ａ，１２ｂのＩＦ出力が、ＩＦスイッチ１２ｃを介在することなく、直にチューナ部１２の出力とされている点である。すなわち、チューナ１２ａ，１２ｂにおける二つの差動出力端子がそれぞれ直結されている。
チューナ１２ａ，１２ｂを構成するチューナＩＣが、非作動時にＩＦ出力がハイインピーダンスに保持されるので、単に一方を非作動とさせるだけで、チューナ部１２の出力は、非選択となったチューナの影響を受けることはない。
【００２５】
この場合、第一のチューナと第二のチューナに相当するチューナ１２ａ，１２ｂは動作停止時にその出力端子がハイインピーダンスに保持されるものであり、チューナ１２ａ，１２ｂのいずれかを動作させまたは停止させる信号処理部１３が選択回路に相当することになる。
【００２６】
（第三実施例）
ＩＦ出力のための信号線であるＩＦラインを共用する複数のチューナ１２ａ，１２ｂは、異なる回路構成であったり、異なるチューナＩＣを採用していてもよく、また使用形態が異なっていてもよい。
【００２７】
図４は、第三実施例のチューナ部の概略構成をブロック図により示している。
本実施例の構成では、ＩＦラインの合流部から見て片方のチューナ側にのみＩＦスイッチ１２ｄが入っている。
すなわち、二つのチューナ１２ａ，１２ｂの一方のチューナ１２ｂのＩＦ出力が、直にチューナ部１２の出力とされており、他方のチューナ１２ａのＩＦ出力と本チューナ部１２の出力との間にＩＦスイッチ１２ｄを介在させている。
【００２８】
なお、信号処理部１３は、二つのチューナ１２ａ，１２ｂでの選局動作を制御するとともに、チューナ１２ａを選択するときに、チューナ１２ａでの選局動作を指示しつつＩＦスイッチ１２ｄは導通させてチューナ１２ａのＩＦ出力をチューナ部１２の出力とし、また、チューナ１２ｂの動作を停止させる。一方、チューナ１２ｂを選択するときに、少なくともＩＦスイッチ１２ｄは非導通とさせてチューナ１２ａのＩＦ出力とチューナ部１２の出力との間のアイソレーションを確保し、チューナ１２ｂの選局動作を指示する。
【００２９】
この場合、第二のチューナであるチューナ１２ｂが動作停止時に出力端子がハイインピーダンスに保持されるものであり、選択回路であるＩＦスイッチ１２ｄが第一のチューナであるチューナ１２ａの出力端子に接続されて同出力を出力するか否かを選択可能となっている。なお、選択回路はＩＦスイッチ１２ｄを制御する信号処理部１３も備えていることになる。
【００３０】
このような構成をとるケースとして、例えば、チューナ１２ｂは非選択時Ｈｉ−Ｚ（高インピーダンス）にできるが、チューナ１２ａはＨｉ−Ｚにできない場合等が考えられる。
具体的な例として、
・チューナ１２ａに受信以外の機能（Ｌｏｏｐ  Ｔｈｒｏｕｇｈや他回路へのＣｌｏｃｋ供給等）を持たせており、非選択時もＯＦＦに出来ない場合、
・チューナ１２ａのみＨｉ−Ｚにできない回路構成であったり、Ｈｉ−ＺとならないチューナＩＣである場合
等が考えられる。
【００３１】
（第四実施例）
地上波とケーブル、アナログとデジタル等、複数放送方式に対応したテレビ受信機では、複数のＩＦ出力が必要となり、それぞれ別個の処理回路を接続する場合がある。
図５は、第四実施例のチューナ部の概略構成をブロック図により示している。
【００３２】
本実施例では、そのようなテレビ受信機におけるチューナ部１２の複数あるＩＦ出力のそれぞれに、ＩＦスイッチ回路を設けた構成である。
すなわち、チューナ部１２には二つのＩＦ出力であるＩＦＯｕｔｐｕｔ１，ＩＦＯｕｔｐｕｔ２があり、二つのチューナ１２ａ，１２ｂのそれぞれは動作状況に応じて二種類のＩＦ出力を出力可能となっている。そして、二種類のＩＦ出力は、それぞれ対応するＩＦＯｕｔｐｕｔ１，ＩＦＯｕｔｐｕｔ２のそれぞれから出力されるものとする。
【００３３】
このような場合、二つのチューナ１２ａ，１２ｂのうち、選択された側のみ二つのＩＦ出力が、ＩＦＯｕｔｐｕｔ１かＩＦＯｕｔｐｕｔ２のいずれかから出力される。このため、二つのＩＦスイッチ１２ｅ，１２ｆの出力をそれぞれＩＦＯｕｔｐｕｔ１とＩＦＯｕｔｐｕｔ２とに専用のものとして割り当てている。そして、二つのＩＦスイッチ１２ｅ，１２ｆのそれぞれにおける独立した二つの入力端子には、チューナ１２ａ，１２ｂのそれぞれのＩＦ出力を供給している。また、信号処理部１３は、二つのチューナ１２ａ，１２ｂの選局の制御とＩＦ出力の形式選択に加え、チューナ１２ａ，１２ｂのいずれを選択するかを二つのＩＦスイッチ１２ｅ，１２ｆにて切換の制御を行う。なお、ＩＦスイッチ１２ｅ，１２ｆが選択するのは、共にチューナ１２ａであるか、共にチューナ１２ｂであるかのいずれかであるのが基本である。ただし、二つのＩＦスイッチ１２ｅ，１２ｆがそれぞれ別のチューナ１２ａ，１２ｂを選択しても良い。
【００３４】
この場合、第一のチューナであるチューナ１２ａと第二のチューナであるチューナ１２ｂとが複数の種類のＩＦ出力を有しており、ＩＦスイッチ１２ｅ，１２ｆはそれぞれの種類のＩＦ出力ごとに第一のチューナであるチューナ１２ａと第二のチューナであるチューナ１２ｂのいずれかを選択して切り替えている。
【００３５】
ＩＦ出力が複数種類ある場合、必ずしもＩＦスイッチを個別に備えなければならないわけではなく、第二実施例や第三実施例のようにすることもできる。すなわち、チューナ部１２にはＩＦＯｕｔｐｕｔ１とＩＦＯｕｔｐｕｔ２を設けつつ、第二実施例のようにそれぞれのチューナ１２ａ，１２ｂのＩＦ出力を直結することも可能である。また、第三実施例のように、チューナの一方にのみＩＦ出力を導通させるか非導通とさせるＩＦスイッチを介在させる構成とすればよい。
【００３６】
（第五実施例）
チューナ部１２に複数種類のＩＦ出力があるとしても、全ての種類のＩＦ出力に対して、同じ組み合わせでＩＦ出力を共用する必要はない。
例えば、地上波テレビはデジタル放送だけであるが、ケーブルテレビではデジタルとアナログの放送がされており、一方のＩＦ出力であるＩＦＯｕｔｐｕｔ１にはデジタル放送信号の復調回路が接続され、他方のＩＦ出力であるＩＦＯｕｔｐｕｔ２にはアナログ放送信号の復調回路が接続されているようなケースを想定できる。
【００３７】
図６は、第五実施例のチューナ部の概略構成をブロック図により示している。
本実施例では、チューナ部１２の一方のＩＦ出力ＩＦＯｕｔｐｕｔ１にだけチューナ１２ａ，１２ｂのいずれかを選択するＩＦスイッチ１２ｇを介在させる構成としている。
すなわち、地上波テレビのアンテナ端子１１ａに接続されるチューナ１２ａは、デジタル放送だけに対応しており、ＩＦスイッチ１２ｇを介してチューナ部１２のデジタル用のＩＦ出力であるＩＦＯｕｔｐｕｔ１だけに接続されている。一方、ケーブルテレビのアンテナ端子１１ｂに接続されるチューナ１２ｂは、デジタル放送とアナログ放送に対応しているので、デジタル放送用のＩＦ出力はＩＦスイッチ１２ｇを介してチューナ部１２のデジタル用のＩＦ出力であるＩＦＯｕｔｐｕｔ１だけに接続され、アナログ放送用のＩＦ出力はＩＦスイッチを介在させることなくチューナ部１２のアナログ用のＩＦ出力であるＩＦＯｕｔｐｕｔ２に直に接続されている。そして、信号処理部１３は、二つのチューナ１２ａ，１２ｂの選局の制御に加え、チューナ１２ａを選択するかチューナ１２ｂを選択するかに応じてＩＦスイッチ１２ｇでの切換の制御を行う。なお、アナログ放送については切換を行う必要もないので信号処理部１３による切換制御も行わない。
なお、このようにＩＦ出力が複数種類ある場合でも、必ずしもＩＦスイッチを備えなければならないわけではなく、第五実施例と同様、第二実施例や第三実施例のように切換を実現することもできる。
【００３８】
（第六実施例）
これまでの実施例では、チューナ回路の出力がＩＦ出力だったのに対し、出力がベースバンド信号である場合でも本発明を実現可能である。例えば、衛星放送用チューナでは特にＤｉｒｅｃｔ  ＣｏｎｖｅｒｓｉｏｎによるＩ／Ｑ出力が主流であり、ＩＦスイッチとＩＦ出力の代わりに、Ｉ／ＱスイッチとＩ／Ｑ出力とする構成もありうる。むろん、Ｉ／Ｑ出力は衛星放送に限らない。
【００３９】
図７は、第六実施例のチューナ部の概略構成をブロック図により示している。
第一のチューナであるチューナ１２ａと第二のチューナであるチューナ１２ｂは、ＩＦ出力に代えてＩ／Ｑ出力しており、それぞれのチューナ１２ａ，１２ｂの出力がＩ／Ｑスイッチ１２ｊにおける独立した二つの入力端子に入力され、Ｉ／Ｑスイッチ１２ｊの切換出力がチューナ部１２の出力となっている。
そして選択回路である信号処理部１３は、チューナ１２ａ，１２ｂのいずれか一方を選択し、Ｉ／Ｑスイッチ１２ｊによって他方の出力の影響を受けない状態で、選択した一方のＩ／Ｑ出力を出力させている。
【００４０】
この場合、複数のアンテナ端子１１ａ，１１ｂを備えたテレビ放送受信機であって、同一周波数帯域のテレビ放送を受信可能で、前記複数のアンテナ端子にそれぞれ個別に接続されて独立して選局動作し、選局出力としてＩ／Ｑ出力する個別のチューナ１２ａ，１２ｂと、個別のチューナ１２ａ，１２ｂの出力について他の個別のチューナ１２ａ，１２ｂの出力から必要なアイソレーションを確保するアイソレーション手段としてのＩ／Ｑスイッチ１２ｊを備え、さらに、所定の操作に基づいて個別のチューナ１２ａ，１２ｂの独立選局を指示していずれかのチューナ１２ａ，１２ｂの出力だけを出力させる選局制御回路としての信号処理部１３を備えていることになる。なお、この場合も、Ｉ／Ｑスイッチの有無、配置方法については、第二実施例や第三実施例のように実現することもできる。
【００４１】
（ダイバーシティ受信装置）
上述した本発明の構成と、一見すると類似するように思われるダイバーシティ受信装置や衛星放送受信装置の構成が存在するが、目的及び使用形態が大きく異なるので、以下に差異を説明しておく。
図８は、ダイバーシティ受信装置の概略ブロック図である。
ダイバーシティ受信機では、無線アンテナ入力とチューナとからなる受信系統が複数備えられており、各系統のチューナのＩＦ信号をＡ／Ｄ変換し、復調、合成する方式である。このような構成は、携帯電話、１セグ、車載テレビ、無線ＬＡＮ等の移動端末でよく用いられる。移動端末特有の厳しい受信電波環境で、信号品質を良くする目的で使用される。
【００４２】
本発明とは以下の差異がある。
・ダイバーシティでは、複数の無線アンテナで同一信号（同一放送チャンネル）を受信し、選択または合成を行うのに対し、本発明では、各チューナは独立した選局動作を行っており、複数アンテナ端子で異なる方式や異なるチャンネルを受信し、選択を行なっている。
・ダイバーシティではＩＦ信号またはＩ／Ｑ信号の信号処理（Ａ／Ｄ変換、復調）後に合成したり選択するのに対し、本発明ではＩＦ信号またはＩ／Ｑ信号の段階で選択する。
【００４３】
（衛星放送受信装置）
図９は、衛星放送受信装置の概略ブロック図である。
衛星放送受信機でパラボラアンテナに取り付けられるコンバーター（ＬＮＢ＝Ｌｏｗ  Ｎｏｉｓｅ  Ｂｌｏｃｋとも呼ぶ）を備えているが、本発明とは以下のように構成が異なる。
衛星放送信号は１２ＧＨｚ帯の円偏波信号（左旋円偏波または右旋円偏波）であり、信号の垂直及び水平偏波成分が重畳されている。コンバーター側ではこれら成分を垂直及び水平偏波アンテナで受信し、後段の衛星チューナの受信周波数（中間周波数）である１〜２ＧＨｚ帯に周波数変換する。その後、これら成分は、スイッチにより時分割合成されて元の衛星信号に復元され、衛星チューナへ出力される。
【００４４】
本発明とは以下の差異がある。
・衛星放送では、複数アンテナ（水平及び垂直）で同一信号（同一衛星放送チャンネル信号）を受信し、スイッチで時分割合成するのに対し、本発明では、各チューナは独立した選局動作を行っており、複数のアンテナ端子で異なる方式や異なるチャンネルを受信し、選択を行う。
・衛星放送では、スイッチで合成される前の信号の片方だけを取り出して受信することはできない（衛星信号は水平・垂直量偏波成分で構成されているため）のに対し、本発明では、各チューナは独立した選局動作を行っており、スイッチで選択される前の一方の信号だけを取り出して信号処理することができる。
なお、本発明は前記実施例に限られるものでないことは言うまでもない。当業者であれば言うまでもないことであるが、
【００４５】
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４６】
１１ａ，１１ｂ…アンテナ端子、１２ａ，１２ｂ…チューナ、１２ｃ，１２ｄ，１２ｅ，１２ｆ，１２ｇ…ＩＦスイッチ、１２ｊ…Ｉ／Ｑスイッチ、１３…信号処理部、１４…リモコン入力部、１５…操作部、１６…アンプ、１７…スピーカ、１８…ドライバー回路、１９…ディスプレイパネル。
【図１】
2015149655.tif 000003
【図２】
2015149655.tif 000004
【図３】
2015149655.tif 000005
【図４】
2015149655.tif 000006
【図５】
2015149655.tif 000007
【図６】
2015149655.tif 000008
【図７】
2015149655.tif 000009
【図８】
2015149655.tif 000010
【図９】
2015149655.tif 000011
【図１０】
2015149655.tif 000012